(57)【要約】【課題】効率的な着脱機構を有する風向き変更部材を提供する。【解決手段】空気調和機の吹き出し口１０２に取り付けられる風向き変更部材１０１が提供される。風向き変更部材１０１は、吹き出し口の側壁側の係合部に係合可能なスライド部材１２２と、スライド部材１２２をガイドするガイド部材１２１Ａ，１２１Ｂとを備える。スライド部材１２２のスライド軸と、ガイド部材１２１Ａ，１２１Ｂのスライド軸とが同一軸上となるように構成される。【選択図】図５
2020046091.tif 000002
【特許請求の範囲】
【請求項１】
空気調和機の吹き出し口に取り付けられる風向き変更部材であって、
前記吹き出し口の側壁側の係合部に係合可能なスライド部材と、
前記スライド部材をガイドするガイド部材と、を備え、
前記スライド部材のスライド軸と、前記ガイド部材のスライド軸とが同一軸上となるように構成される、風向き変更部材。
【請求項２】
前記スライド部材を前記吹き出し口の側壁側の係合部に向けて付勢するための付勢部材をさらに備える、請求項１に記載の風向き変更部材。
【請求項３】
前記風向き変更部材には、前記吹き出し口の送風方向と平行なリブが形成され、
前記ガイド部材は、前記リブよりも外側に配置される、請求項１または２に記載の風向き変更機構。
【請求項４】
前記スライド部材は、前記吹き出し口からの送風路の外側でスライドする、請求項３に記載の風向き変更機構。
【請求項５】
前記スライド部材の外側には、前記吹き出し口の側壁側の係合部に対する係合を解除するためのレバーが形成される、請求項３または４に記載の風向き変更機構。
【請求項６】
前記レバーは、前記スライド部材からの立ち上がり部と、前記立ち上がり部からリブの方向へ折り曲げられた折り曲げ部と、指が当接される当接部とを含む、請求項５に記載の風向き変更機構。
【請求項７】
前記ガイド部材は、前記スライド部材の外周面を前記スライド方向へガイドする外ガイド部を含み、
前記折り曲げ部は、前記外ガイド部の外側をスライド方向へ移動する、請求項６に記載の風向き変更部材。
【請求項８】
前記リブには、前記スライド部材を前記リブに引き寄せるための当接エリアが形成される、請求項３から７のいずれか１項に記載の風向き変更部材。
【請求項９】
前記スライド部材を、前記ガイド部材にスライド可能に保持するためのカバーをさらに備え、
前記カバーは、前記カバーを前記リブに固定するための爪部を含み、
前記リブは、前記カバーが前記リブに取り付けられた状態において前記爪部に対する接触を防止するためのパーツを有する、請求項３から８のいずれか１項に記載の風向き変更部材。
【発明の詳細な説明】
【技術分野】
【０００１】
本発明は、空気調和機などの空気の吹き出し口近傍に取り付けられる風向き変更部材の技術に関する。
【背景技術】
【０００２】
従来から、空気調和機などの空気の吹き出し口近傍の風向き変更部材に関して、各種の技術が提案されてきた。たとえば、特開２００２−７１２０６号公報（特許文献１）には、上下風向調整板の着脱装置が開示されている。特許文献１によると、一端部に支持軸、他端部に取手部で形成された可動軸片を、上下風向調整板の側板及び中板の支持軸貫通穴に支持軸が挿入されながら可動するように上下風向調整板に固定していた。
【先行技術文献】
【特許文献】
【０００３】
【特許文献１】特開２００２−７１２０６号公報
【発明の概要】
【発明が解決しようとする課題】
【０００４】
本発明の目的は、効率的な着脱機構を有する風向き変更部材を提供することである。
【課題を解決するための手段】
【０００５】
本発明のある態様に従うと、空気調和機の吹き出し口に取り付けられる風向き変更部材が提供される。風向き変更部材は、吹き出し口の側壁側の係合部に係合可能なスライド部材と、スライド部材をガイドするガイド部材とを備える。スライド部材のスライド軸と、ガイド部材のスライド軸とが同一軸上となるように構成される。
【発明の効果】
【０００６】
以上のように、本発明によれば、効率的な着脱機構を有する風向き変更部材を提供することができる。
【図面の簡単な説明】
【０００７】
【図１】第１の実施の形態にかかる、風向き変更部材１０１によって吹き出し口を閉じた状態の、室内機１００の（Ａ）正面図と（Ｂ）斜視図である。
【図２】第１の実施の形態にかかる、風向き変更部材１０１を下降させ（開き）、吹き出し口１０２を開いた状態の、室内機１００の（Ａ）正面図と（Ｂ）斜視図である。
【図３】第１の実施の形態にかかるドレンパン１９０と風向き変更部材１０１とをしめす下方左斜視図である。
【図４】第１の実施の形態にかかるドレンパン１９０と風向き変更部材１０１とをしめす平面断面図である。
【図５】第１の実施の形態にかかる風向き変更部材１０１の左斜視図である。
【図６】第１の実施の形態にかかる風向き変更部材１０１の右斜視図である。
【図７】第１の実施の形態にかかるドレンパン１９０と風向き変更部材１０１との左取り付け部１２０近傍を示す正面断面図である。
【図８】第１の実施の形態にかかるスライド部材１２２と付勢部材１２３とスライドカバー１２４とを示す斜視図である。
【図９】第１の実施の形態にかかるスライド部材１２２の斜視図である。
【図１０】第１の実施の形態にかかるスライドカバー１２４の斜視図である。
【図１１】第１の実施の形態にかかる風向き変更部材１０１のドレンパン１９０への取り付け手順を示すイメージ図である。
【図１２】第２の実施の形態にかかる風向き変更部材１０１の右斜視図である。
【図１３】第３の実施の形態にかかる中央取り付け部１４０を示す斜視図である。
【発明を実施するための形態】
【０００８】
以下、図面を参照しつつ、本発明の実施の形態について説明する。以下の説明では、同一の部品には同一の符号を付してある。それらの名称および機能も同じである。したがって、それらについての詳細な説明は繰り返さない。
＜第１の実施の形態＞
＜室内機１００の全体構成＞
【０００９】
まず、図１および図２を参照して、本実施の形態にかかる風向き変更部材１０１を搭載するセパレート型空気調和機の室内機１００の全体構成の概略について説明する。なお、以下では、図１（Ａ）および図２（Ａ）の紙面に向かって右方向を各部材の右方向といい、当該紙面に向かって左方向を各部材の左方向といい、当該紙面に向かって上方向を各部材の上方向といい、当該紙面に向かって下方向を各部材の下方向といい、当該紙面の奥に向かって各部材の後方向といい、当該紙面に向かって手前方向を各部材の前方向という。なお、風向き変更部材１０１に関しては、水平な状態における方向を用いて説明するものとする。
【００１０】
本実施の形態にかかる室内機１００は、空気調和運転の停止中は、図１（Ａ）および（Ｂ）に示すように、風向き変更部材１０１で吹き出し口１０２を閉じる。一方、空気調和運転中においては、図２（Ａ）および（Ｂ）に示すように、そのヒートポンプシステムによって冷やされた空気、あるいは暖められた空気を、吹き出し口１０２および風向き変更部材１０１の近傍を通して、室内に吹き出す。室内機１００は、ヒートポンプシステムを動作させずに、送風運転や空気清浄運転などを行うこともできる。
＜風向き変更部材１０１の室内機１００本体への取り付け構成＞
【００１１】
以下では、図３から図１１を参照しながら、本実施の形態にかかる風向き変更部材１０１の室内機１００への取り付け構成について説明する。本実施の形態においては、図３に示すように、風向き変更部材１０１は、直接的または間接的に、室内機１００の本体側のドレンパン１９０に取り付けられる。ドレンパン１９０は吹き出し口１０２を有し、吹き出し口１０２の左右に側壁が存在する。
【００１２】
本実施の形態においては、風向き変更部材１０１は、４箇所で着脱自在にドレンパン１９０に連結される。より詳細には、図３から図６に示すように、風向き変更部材１０１は、パネル本体１１０と、パネル本体１１０の上面に形成される複数の風路形成フレーム１１１と、パネル本体１１０の上面の左部に設けられる左取り付け部１２０と、パネル本体１１０の上面の右部に設けられる右取り付け部１３０と、パネル本体１１０の上面の中央部に設けられる１または複数の中央取り付け部１４０とを含む。
【００１３】
中央取り付け部１４０は、パネル本体１１０の上面に形成されるリブ１４１，１４１と、リブ１４１，１４１の間に支持される取り付け軸１４２とを含む。そして、取り付け軸１４２がドレンパン１９０の係止部材１９４に掛けられることによって、風向き変更部材１０１の中央部分がドレンパン１９０に固定される。
【００１４】
なお、本実施の形態においては、図３から図６に示すように、風路形成フレーム１１１の側壁がリブ１４１，１４１の役割を果たしている。すなわち、風路形成フレーム１１１，１１１の側壁によって軸１４２が支持される。
【００１５】
右取り付け部１３０の構成は、たとえば、右取り付け部１３０として、風路形成フレーム１１１の右側壁に形成される係止孔１１１Ｘが形成される構成などがあげられる。そして、ドレンパン１９０の右側壁の孔から突出する回動軸１９３が、当該係止孔１１１Ｘに嵌合されてもよい。回動軸１９３が、図示しないモータによって回動されることによって、風向き変更部材１０１の上下方向の角度が制御される。
＜左取り付け部１２０の構成＞
【００１６】
以下では、左取り付け部１２０について詳述する。図３から図６に示すように、左取り付け部１２０は、主に、パネル本体１１０の上面から立設されるリブ１２１と、スライド部材１２２と、から構成される。
【００１７】
本実施の形態においては、リブ１２１は、風路形成フレーム１１１の左側壁によって構成される。そして、図４に示すように、リブ１２１すなわち風路形成フレーム１１１の左側壁は、ドレンパン１９０の吹き出し口１０２からの風向きと平行に立設される。特に、本実施の形態においては、リブ１２１は、ドレンパン１９０の吹き出し口１０２から吹き出される風路の端部よりも外側に形成される。たとえば、平面断面視や正面視において、リブ１２１の右面が、吹き出し口１０２の左側壁１０２Ｘの延長面と同じ位置、あるいは吹き出し口１０２の左側壁１０２Ｘの延長面よりも左方にリブ１２１の右面が位置するように構成される。これによって、スライド部材１２２やリブ１２１が、ドレンパン１９０の吹き出し口１０２からの送風の邪魔になりにくくなる。
【００１８】
図３、図４、図７に示すように、スライド部材１２２をリブ１２１から離れる方向、すなわちパネル本体１１０の外側方向（本実施の形態では左方向）、にスライドさせることによって、スライド部材１２２をドレンパン１９０の左側壁１０２Ｘの取り付け孔１９２に挿入して、風向き変更部材１０１をドレンパン１９０に回動可能に取り付けることができる。逆に、スライド部材１２２をリブ１２１に近づく方向、すなわちパネル本体１１０の内側方向（本実施の形態では右方向）にスライドさせることによって、スライド部材１２２をドレンパン１９０の左側壁１０２Ｘの取り付け孔１９２から外して、風向き変更部材１０１をドレンパン１９０から取り外すことができる。
【００１９】
より詳細には、図７に示すように、リブ１２１の左側面には、左方向に向けて内ガイド１２１Ａが形成される。内ガイド１２１Ａは、スライド部材１２２の左右方向へのスライドを案内するものであって、スライド部材１２２の内周面をガイド可能に構成される。
【００２０】
リブ１２１の左側面には、内ガイド１２１Ａの外側に外ガイド１２１Ｂが形成される。外ガイド１２１Ｂは、スライド部材１２２の左右方向へのスライドを案内するものであって、スライド部材１２２の外周面をガイド可能に構成される。
【００２１】
つまり、本実施の形態においては、スライド部材１２２のためのガイドとして、パネル本体１１０上に、内ガイド１２１Ａと外ガイド１２１Ｂを含むリブ１２１が設けられている。なお、リブ１２１は、風路形成フレーム１１１とは別に設けられてもよいし、ガイドとして内ガイド１２１Ａと外ガイド１２１Ｂのいずれか１つだけが設けられてもよい。
【００２２】
図７から図１０に示すように、スライド部材１２２は、前筒部１２２Ａと、後筒部１２２Ｂと、レバー１２２Ｃとが一体成型されたものである。前筒部１２２Ａは、ドレンパン１９０の取り付け孔１９２に挿入される部分である。後筒部１２２Ｂの内周面は、内ガイド１２１Ａの外周面にガイドされ、後筒部１２２Ｂの外周面は、外ガイド１２１Ｂの内周面にガイドされる。つまり、後筒部１２２Ｂがスライド機構の主要部を構成する。
【００２３】
後筒部１２２Ｂの内側には、スライド部材１２２とリブ１２１とを離間させる方向に付勢するための付勢部材１２３が配置される。本実施例においては、付勢部材１２３は、圧縮バネであり、バネの内空間に内ガイド１２１Ａが挿入される。言い換えれば、内ガイド１２１Ａはバネによって囲まれている。そしてバネは、外ガイド１２１Ｂに囲まれている。これによって、スライド部材１２２は、取り付け孔１９２に挿入される方向に付勢される。
【００２４】
そして、スライド部材１２２の周囲にはスライドカバー１２４が取り付けられる。スライドカバー１２４の左端には、スライド部材１２２の前筒部１２２Ａが挿通される孔１２４Ｙが形成される。スライドカバー１２４は、爪部１２４Ｘがリブ１２１の孔に掛けられる構成となっている。なお、メンテナンス時などに爪部１２４Ｘに指や他の工具などが接触してスライドカバー１２４がリブ１２１の孔から外れてしまう可能性を低減するために、リブ１２１の右面の、爪部１２４Ｘ周辺に、凸部やカバーを設けたり、爪部１２４Ｘのための孔付近を凹ませたりすることが好ましい。また、パネル本体１１０の上面に、スライドカバー１２４と対向するリブや突起を形成してもよい。このような構成すれば、スライドカバー１２４がパネル本体１１０側へたわんだとしても、スライドカバー１２４と対向するリブや突起に当接するため、たわみ量を軽減することができる。
【００２５】
また、スライド部材１２２が左方に移動した状態において、後筒部１２２Ｂの右端部と外ガイド１２１Ｂの左端部とが正面視で重なるように構成されている。これによって、スライドカバー１２４にユーザの手が触れて、内側に撓んでしまう可能性を低減している。
【００２６】
これによって、スライド部材１２２は、付勢部材１２３によってリブ１２１から離間する方向に付勢されつつ、スライドカバー１２４によってスライド部材１２２がリブ１２１すなわち風向き変更部材１０１から取れてしまわないように保持される。
【００２７】
このように、本実施の形態においては、スライド部材１２２のスライド軸、換言すればスライド本体の軸すなわち後筒部１２２Ｂの軸と、リブ１２１側のスライド軸、換言すればガイド本体の軸すなわち内ガイド１２１Ａの中心軸および／または外ガイド１２１Ｂの中心軸と、が同一軸上に位置するように構成されている。これによって、従来よりもコンパクトに風向き変更部材１０１の取り付け部を構成することができる。
【００２８】
本実施の形態においては、レバー部１２２Ｃは、前筒部１２２Ａと後筒部１２２Ｂの境界から外側へ立設された立ち上がり部１２２１と、折り曲げ部１２２２と、折り曲げ部１２２２の端部からさらに上方へ穿設される指当接部１２２３とを含む。より詳細には、折り曲げ部１２２２は、外ガイド１２１Ｂよりも外側の位置においてリブ１２１の方向へ向かって折れ曲がり、その結果スライド方向と平行に形成される。
【００２９】
これによって、ユーザが、レバー部１２２Ｃをリブ１２１に向けて引き寄せても、レバー部１２２Ｃの立ち上がり部１２２１のスライド本体に対する基部にかかるトルクを低減することができる。
【００３０】
なお、折り曲げ部１２２２と指当接部１２２３の境界すなわち屈曲部は、その外側すなわち下側が丸みを帯びていたり、テーパが形成されていたりすることが好ましい。これによって、ユーザが、レバー部１２２Ｃをリブ１２１に向けて引き寄せた場合に、スライド部材１２２がスムーズにスライドしやすくなる。つまり、折り曲げ部１２２２が外ガイド１２１Ｂに引っかかりにくくなり、外ガイド１２１Ｂの外側をスムーズにスライドしやすくなる。
【００３１】
また、本実施の形態においては、リブ１２１の右面に指を当接させやすいように、当接エリア１２１Ｙを設けることが好ましい。より詳細には、左手の人差し指でスライド部材１２２のレバー１２２Ｃの左面を押す際に、左手の親指がリブ１２１の右面を押しやすい程度の広さの当接エリア１２１Ｙを形成することが好ましい。より詳細には、左手の親指が、爪部１２４Ｘに接触せずに、リブ１２１の右面を押しやすい程度の広さの当接エリア１２１Ｙが形成されることが好ましい。
【００３２】
なお、リブ１２１の吹き出し口１０２側に孔を開けたり、リブ１２１の吹き出し口１０２側を切り欠いて凹部を形成したりして、吹き出し口１０２からの風がリブ１２１の外側すなわち左側に流れる構成してもよい。これによって、リブ１２１の結露を防止することが可能になる。
＜風向き変更部材１０１のドレンパン１９０への取り付け方法＞
【００３３】
次に、図１１を参照して、風向き変更部材１０１のドレンパン１９０への取り付け方法について説明する。まず、図１１の（手順１）を参照して、風向き変更部材１０１の右取り付け部１３０をドレンパン１９０の右部に取り付ける。この構成は特に問わない。
【００３４】
次に、図１１の（手順２）を参照して、風向き変更部材１０１の左取り付け部１２０のスライド部材１２２のレバー１２２Ｃを付勢部材１２３の付勢力に抗してリブ１２１側に引き寄せた状態で、風向き変更部材１０１の中央取り付け部１４０をドレンパン１９０の中央部に取り付ける。この構成も特に問わない。この状態において、風向き変更部材１０１の左取り付け部１２０のスライド部材１２２が、ドレンパン１９０の取り付け孔１９２と向かい合うように位置する。すなわち、スライド部材１２２のスライド軸と、取り付け孔１９２の挿入軸とが、略同一軸上に位置する。
【００３５】
風向き変更部材１０１の左取り付け部１２０のスライド部材１２２のレバー１２２Ｃを離すと、付勢部材１２３の付勢力によって、スライド部材１２２がリブ１２１から離間されてドレンパン１９０の取り付け孔１９２に挿入される（図１１の（手順１）参照）。このようにして、風向き変更部材１０１が上下方向に回動可能にドレンパン１９０に取り付けられる。
＜第２の実施の形態＞
【００３６】
図１２に示すように、左手の親指が、爪部１２４Ｘに接触せずに、リブ１２１の右面を押しやすいように、爪部１２４Ｘよりも前方の位置に、親指で押せる程度の広さの当接エリア１２１Ｚが形成されてもよい。エリア１２１Ｚは吹き出し口１０２からの空気の流れの下流方向にリブ１２１が延設されることで形成されている。これによって、吹き出し口１０２からの風の整流効果を得ることもできる。
【００３７】
この場合も、メンテナンス時などに爪部１２４Ｘに指や他の工具などが接触してスライドカバー１２４がリブ１２１から外れてしまう可能性を低減するために、リブ１２１の右面の、爪部１２４Ｘ周辺に、凸部１２１Ｔやカバーを設けたり、爪部１２４Ｘの引っ掛かり部を凹ませたりすることが好ましい。
＜第３の実施の形態＞
【００３８】
右取り付け部１３０や中央取り付け部１４０に関しても、上記の実施の形態には限られない。たとえば、右取り付け部１３０も、左取り付け部１２０と同様に、スライド部材１２２と、ガイド部材としての内ガイド１２１Ａや外ガイド１２１Ｂを含むものであってもよい。
【００３９】
また、中央取り付け部１４０も、図１３に示すように、パネル本体１１０の上面に形成されるリブ１４１と、リブ１４１の側面に支持される軸１４２とを含んでもよい。そして、軸１４２がドレンパン１９０の係止部材１９４に掛けられることによって、風向き変更部材１０１の中央部分がドレンパン１９０に固定される。この場合も、風路形成フレーム１１１がリブ１４１の役割を果たしてもよい。
＜まとめ＞
【００４０】
上記の実施の形態においては、空気調和機の吹き出し口１０２に取り付けられる風向き変更部材１０１が提供される。風向き変更部材１０１は、吹き出し口１０２の側壁側の係合部に係合可能なスライド部材１２２と、スライド部材１２２をガイドするガイド部材１２１Ａ，１２１Ｂとを備える。スライド部材１２２のスライド軸と、ガイド部材１２１Ａ，１２１Ｂのスライド軸とが同一軸状となるように構成される。
【００４１】
好ましくは、スライド部材１２２を吹き出し口１０２の側壁側の係合部１９２に向けて付勢するための付勢部材１２３をさらに備える。
【００４２】
好ましくは、風向き変更部材１０１には、吹き出し口１０２の送風方向と平行なリブ１２１が形成される。ガイド部材１２１Ａ，１２１Ｂは、リブ１２１よりも外側に配置される。
【００４３】
好ましくは、スライド部材１２２は、吹き出し口１０２からの送風路の外側でスライドする。
【００４４】
好ましくは、スライド部材１２２の外側には、吹き出し口１０２の側壁側の係合部１９２に対する係合を解除するためのレバー１２２Ｃが形成される。
【００４５】
好ましくは、レバー１２２Ｃは、スライド部材１２２の本体１２２Ａ，１２２Ｂからの立ち上がり部１２２１と、立ち上がり部１２２１からリブ１２１の方向へ折り曲げられた折り曲げ部１２２２と、指が当接される当接部１２２３とを含む。
【００４６】
好ましくは、ガイド部材１２１Ａ，１２１Ｂは、スライド部材１２２の外周面をスライド方向へガイドする外ガイドを含む。折り曲げ部１２２２は、外ガイド１２１Ｂの外側をスライド方向へ移動する。
【００４７】
好ましくは、リブ１２１には、スライド部材１２２をリブ１２１に引き寄せるための当接エリア１２１Ｙ，１２１Ｚが形成される。
【００４８】
好ましくは、風向き変更部材１０１は、スライド部材１２２を、ガイド部材１２１Ａ，１２１Ｂにスライド可能に保持するためのカバー１２４をさらに備える。カバー１２４は、カバー１２４をリブ１２１に固定するための爪部１２４Ｘを含む。リブ１２１は、カバー１２４がリブ１２１に取り付けられた状態において爪部１２４Ｘに対する接触を防止するためのパーツ１２１Ｔを有する。
【００４９】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【００５０】
例えば、本実施の形態では、セパレート型空気調和機の室内機を用いて説明したが、空気清浄機や加湿器、除湿器などの吹き出し口に本実施の形態の風向き変更部材を適用してもよい。
【符号の説明】
【００５１】
１００    ：室内機
１０１    ：風向き変更部材
１０２    ：吹き出し口
１０２Ｘ  ：右側壁
１１０    ：パネル本体
１１１    ：風路形成フレーム
１１１Ｘ  ：係止孔
１２０    ：左取り付け部
１２１    ：リブ
１２１Ａ  ：内ガイド
１２１Ｂ  ：外ガイド
１２１Ｔ  ：凸部
１２１Ｙ  ：当接エリア
１２１Ｚ  ：当接エリア
１２２    ：スライド部材
１２２Ａ  ：前筒部
１２２Ｂ  ：後筒部
１２２Ｃ  ：レバー
１２２Ｃ  ：レバー部
１２３    ：付勢部材
１２４    ：スライドカバー
１２４Ｘ  ：爪部
１２４Ｙ  ：孔
１３０    ：右取り付け部
１４０    ：中央取り付け部
１４１    ：リブ
１４２    ：取り付け軸
１９０    ：ドレンパン
１９２    ：取り付け孔
１９３    ：回動軸
１９４    ：係止部材
１２２１  ：立ち上がり部
１２２２  ：折り曲げ部
１２２３  ：指当接部
【図１】
2020046091.tif 000003
【図２】
2020046091.tif 000004
【図３】
2020046091.tif 000005
【図４】
2020046091.tif 000006
【図５】
2020046091.tif 000007
【図６】
2020046091.tif 000008
【図７】
2020046091.tif 000009
【図８】
2020046091.tif 000010
【図９】
2020046091.tif 000011
【図１０】
2020046091.tif 000012
【図１１】
2020046091.tif 000013
【図１２】
2020046091.tif 000014
【図１３】
2020046091.tif 000015